(57)【要約】【課題】  この発明は、肌に直に接する下着類や各種サポーター等の着衣に永久磁石の効能を維持しつつ接着剤等に含まれる有機化合物の人体への悪影響を及ぼさないよう取付けることができる着衣への永久磁石の取付構造並びにその取付方法を提供するものである。【解決手段】  この発明に係る着衣への永久磁石の取付構造並びにその取付方法は、着衣の基布２の裏面に平板状の取付冶具３を配置し、一つまたは適宜間隔をおいて複数個の磁気を発生する永久磁石１を取付冶具３の上面の所定位置に嵌着されている磁性体４との相互の吸引作用により基布２の上面の所定位置に設置し、裏面にホットメルトタイプの融着テープ５を設けた磁気の透過を妨げない永久磁石１より大径の保護シート６を包囲状に被覆して、ホットプレス機７で保護シート６を加圧加熱して、永久磁石１を基布２に被覆状に固定してなるものである。【選択図】      図１
2005273121.tif 000002
【特許請求の範囲】
【請求項１】
着衣に永久磁石を取付ける基布の下面に取付冶具を配置し、この取付冶具を介して基布の上面に、一つまたは適宜間隔をおいて複数個の磁気を発生する永久磁石を取付冶具に嵌着した磁性体との吸引により所定位置に設置し、裏面にはホットメルトタイプの融着テープを設けた磁気の透過を妨げない永久磁石より大径の保護シートで包囲状に被覆して、ホットプレス機で保護シートを加圧加熱して、永久磁石を基布に被覆状に固定してなることを特徴とする着衣への永久磁石の取付構造。
【請求項２】
所定の位置に磁性体を突出しないように略面一状に嵌着した取付冶具を、永久磁石を取付ける着衣の基布の下面側にセットする工程と、
取付冶具の磁性体を介して磁気を発生する永久磁石を基布の上面の所定位置に設置する工程と、
その裏面にホットメルトタイプの融着テープを設けた磁気の透過を妨げない保護シートを所定の大きさにカットする工程と、
一つまたは適宜間隔をおいて複数個の所定位置に設置された永久磁石の上面を包囲するように永久磁石よりも大径にカットされた保護シートを被冠する工程と、
ホットプレス機で被覆シートを加圧加熱して永久磁石を基布に被覆状に固定する工程を含む着衣への永久磁石の取付方法。
【発明の詳細な説明】
【技術分野】
【０００１】  本発明は血行をよくし、筋肉の凝りを解消し血液の循環を促進するための磁気を帯びた永久磁石を肌に触れる下着等の着衣への取付構造並びにその取付方法に関する。
【背景技術】
【０００２】  従来身体には凝りや血液の循環に支障をきたす等の様々の症状がみられ、これらの症状には永久磁石の磁気を利用して血行をよくして筋肉を解したり、遠赤外線を放射する鉱石類を用いて血液の循環を促進したものがあり、これらの磁石類は、加熱発泡型の合成樹脂からなる加熱溶融体を接着剤として、または縫製等の手段で下着類を始めとする直接肌に接する各種の身につける着衣に取付けられている。【０００３】  また、イオン対やラジカルを生成する放射性鉱物の微粉末と樹脂との混合体を布地に塗布した健康材料をサポーターや寝具、衣服に装着したものが知られている（例えば、特許文献１参照。）。
【特許文献１】特開昭６０−１６０９７１号公報
【発明の開示】
【発明が解決しようとする課題】
【０００４】  しかしながら従来用いられているこれらの磁石や鉱物類は肌と接触させることによって、その効果が発揮されて、健康増進用の機能を有している半面、同時に接着剤として用いられている加熱発泡型の合成樹脂の加熱溶融体も肌と直接接触することになり、アレルギー性の体質をもっている場合にはかぶれや湿疹等の悪影響が生じる恐れがみられ、また、縫製により取付ける場合には磁石の磁力により針が吸い寄せられるという取付の際の不具合がみられ手間を有するばかりでなく、磁石が動いて目的と場所に設置しにくいという欠点を有していた。【０００５】  本発明は、肌に直に接する下着類や各種サポーター等の着衣に永久磁石の効能を維持しつつ接着剤等の有機化合物による人体への悪影響を及ぼさないよう取付けることができる着衣への永久磁石の取付構造並びにその取付方法を提供するものである。
【課題を解決するための手段】
【０００６】  本発明に係る着衣への永久磁石の取付構造は、着衣に永久磁石を取付ける基布の下面に取付冶具を配置し、この取付冶具を介して基布の上面に、一つまたは適宜間隔をおいて複数個の磁気を発生する永久磁石を取付冶具に嵌着した磁性体との吸引により所定位置に設置し、裏面にはホットメルトタイプの融着テープを設けた磁気の透過を妨げない永久磁石より大径の保護シートで包囲状に被覆して、ホットプレス機で保護シートを加圧加熱して、永久磁石を基布に被覆状に固定してなることを特徴とするものである。【０００７】  さらに、本発明に係る着衣への永久磁石の取付方法は、所定の位置に磁性体を突出しないように略面一状に嵌着した取付冶具を、永久磁石を取付ける着衣の基布の下面側にセットする工程と、取付冶具の磁性体を介して磁気を発生する永久磁石を基布の上面の所定位置に設置する工程と、その裏面にホットメルトタイプの融着テープを設けた磁気の透過を妨げない保護シートを所定の大きさにカットする工程と、一つまたは適宜間隔をおいて複数個の所定位置に設置された永久磁石の上面を包囲するように永久磁石よりも大径にカットされた保護シートを被冠する工程と、ホットプレス機で被覆シートを加圧加熱して永久磁石を基布に被覆状に固定する工程を含むことを特徴とするものである。
【発明の効果】
【０００８】  本発明に係る着衣への永久磁石の取付構造によれば、磁気を発生する適宜大きさの粒状の永久磁石を固定手段である融着テープが裏面に設けられている保護シートで包囲状に被覆されて着衣に融着固定されているもので、サポーターや下着類等の直接肌に触れる着衣に取付けても接着部位が直接肌と接することがなく、着衣者がアレルギー性の体質を有していてもかぶれや湿疹等の人体へ悪影響を及ぼすことがなく、身体の最も効果的な個所、すなわちツボに当る部位への取付けが可能となり、また、その取付け個所が自由に選択され、マフラー、ベルト、腹巻き、肩凝り用シート等幅広い着衣に利用され、その適用範囲を拡大することができる。【０００９】  さらに、着衣の下面の所定位置に平板状の取付冶具を配置して、取付冶具の上面に嵌着された磁性体の吸引により、柔軟性の着衣上を動いて取付位置が変り易い永久磁石を所定位置に揺動することなく設置される定規の役目を有し、着装した際永久磁石が最も効果の高い身体のツボに当るように着衣へ正確に取付けることができる。【００１０】  また、上記の定規機能と併せて、比較的柔らかく柔軟性を有して変形し易い着衣や保護シートの保形性を保つ固定台としての機能を有し、永久磁石を固定した後着衣や保護シートへの皺やねじれあるいは部分的な盛上がり等の不具合がなく、均一状に密着して仕上げることができる。【００１１】  さらに、永久磁石が保護シートによって密着状態で被覆固定されているため着衣の使用途中や洗濯等により移動して位置摺れが生じたりすることがなく長期間の使用に耐えることができる。【００１２】  さらに、本発明の取付け方法によれば、永久磁石を安全確実にかつ容易にしかも簡便な設備により安価に製することができ、また、この永久磁石を一つの単体に限らず必要とする個数を、目的とする配列で取付けることができる。
【発明を実施するための最良の手段】
【００１３】  図１は、本発明に係る磁気を発生する永久磁石の着衣への取付構造を示す展開された一部を破断した略示図、図２は、その取付けられた状態の端面を示す略示図、図３は、着衣への取付状態を示す斜視図、図４は、永久磁石の着衣への取付工程を示す説明図で、（イ）は取付冶具の基布への配置工程を、（ロ）は取付冶具を介して基布への永久磁石の設置工程を示す説明図、（ハ）は永久磁石への保護シートの被覆工程を、（ニ）はホットプレス機による保護シートの融着固定工程をそれぞれ示すもので、図５は着衣とくに下着類への永久磁石の取付状態の一例を示す略示図である。
【００１４】  本発目に係る磁気を発生する永久磁石の取付構造は、図１に示すように、着衣の基布２の裏面に平板状の取付冶具３を配置し、一つまたは適宜間隔をおいて複数個の磁気を発生する永久磁石１を取付冶具３の上面の所定位置に嵌着されている磁性体４との相互の吸引作用により基布２の上面の所定位置に設置し、裏面にホットメルトタイプの融着テープ５を設けた磁気の透過を妨げない永久磁石１より大径の保護シート６を包囲状に被覆して、ホットプレス機７で保護シート６を加圧加熱して、永久磁石１を基布２に被覆状に固定してなるものである。
【００１５】  上記永久磁石１は、通常上面がやや円形に膨出状となっている粒状体が用いられるが、これに限らず、球状あるいは半球状のものでもよく、また、被覆される保護シート６の厚さあるいは求められる磁力の強さに対応して様々の形状のものや径の大きさをもつものが選択される。
【００１６】  永久磁石１を被覆する裏面にホットメルトタイプの融着テープ５を設けた保護シート６は、着衣を着用した際の違和感がないように基布２と同一の材質の布地が望ましいが、永久磁石１の磁気の透過を妨げず、また違和感の比較的少ないやや薄いガーゼ状の布地が使用される。
【００１７】  また、被覆シート６の裏面側に張着されるホットメルトタイプの融着テープ５は、矩形または楕円形、円形等の形状を有して所定の大きさにカットした後、裏面の離形紙（図示せず）を取り除いて着衣の基布２上に載置されている永久磁石１を被冠するものである。
【００１８】  平板状の取付冶具３は、ベニヤ板を積層した木製等の非磁性体の板状材料が用いられ、図１および図２に示すように、定規としてまた保形台として用いられ、永久磁石１の着衣への取付位置やその配列あるいは取付けられる個数に応じて、その所定位置に穿設された孔８に磁性体４を嵌着して形成され、この磁性体４は、着衣の基布２上に永久磁石１を安定した状態で載置するように、取付冶具３の上面より突出しないように面一状か若しくはわずかに下がった状態に嵌着することが望ましい。
【００１９】  なお、図３には着衣の一例として、腕や膝の関節を保護するサポーターへの取付けた状態を示しているが、着用する際にはやや突出状に取付けられた永久磁石１が腕や足に直接触れるように反転して用いるものである。
【００２０】  以下、永久磁石１の着衣への取付の手順について、図４に基づいて説明する。
先ず、上面の所定位置に穿設された孔８に磁性体４をその上面から突出しないように略面一状に嵌着した平板状の取付冶具３を、永久磁石１を取付ける基布２の下面側に挿入して取付位置にセットされる。
【００２１】  次ぎに、取付冶具３の上面に配置されている基布２上に磁気を発生する永久磁石１を、その磁力を利用して取付冶具３に設けた磁性体４を定規として吸着させて設置する。
この際永久磁石１は、基布２の上を滑らせることによって、取付冶具３の磁力に引き寄せられて、目印を設けることなく基布２の所定の位置に容易に設置される。
【００２２】  次ぎに、その裏面にホットメルトタイプの融着テープ５を張着した磁気の透過を妨げない保護シート６を、配列や個数を加味して永久磁石の径よりも大径となるように矩形または楕円形、円形等の所定の大きさにカットする。
【００２３】  次ぎに、融着テープ５の離形紙を剥して、基布２上に設置されている永久磁石１の上面を包囲するように磁石１よりも大径にカットされた保護シート６を被覆する。
【００２４】  次ぎにホットプレス機７で被覆シート６を加圧加熱して永久磁石１を基布２に被覆状に固定して取付るものである。
【００２５】  図５は、本発明に係る永久磁石の取付構造およびその取付方法を用いて、パンツやショーツの下着に永久磁石１を取付た尿失禁に効果的な例を示すもので、永久磁石１は尿器から肛門の股間部に対応する両側に５個の永久磁石１を、また脇腹部に対応する両脇に３個の永久磁石１を、さらに下腹部に対応する前側に同様３個の永久磁石１を縦方向に配列して保護シート６で被覆固定するものである。
【図面の簡単な説明】
【００２６】
【図１】  本発明に係る磁気を発生する永久磁石の着衣への取付構造を示す一部を破断して展開された略示図である。
【図２】  その取付けられた状態の端面を示す略示図である。
【図３】  着衣への取付状態を示す斜視図である
【図４】  取付工程を示す説明図で、（イ）は取付冶具の基布への配置工程を、（ロ）は取付冶具を介して基布への永久磁石の設置工程を、（ハ）は永久磁石への保護シートの被覆工程を、（ニ）は熱プレス機による保護シートの融着固定工程をそれぞれ示す略示図ある。
【図５】  着衣として下着への永久磁石の取付状態の一例を示すもので、（イ）はその前側を、また（ロ）はその後側を示す略示図である。
【符号の説明】
【００２７】  １  永久磁石
２  基布
３  取付冶具
４  磁性体
５  融着シート
６  保護シート
７  ホットプレス機
８  取付冶具３の孔
【図１】
2005273121.tif 000003
【図２】
2005273121.tif 000004
【図３】
2005273121.tif 000005
【図５】
2005273121.tif 000006
【図４】
2005273121.tif 000007